(57)【特許請求の範囲】
【請求項１】
放電灯に駆動電力を供給する放電灯駆動部と、
前記放電灯駆動部を制御する制御部と、
前記放電灯の電極間電圧を検出する電圧検出部と、
を備え、
前記制御部は、前記放電灯に供給される前記駆動電力を周期的に変動させる電力変動駆動を実行可能であり、
前記駆動電力は、前記電力変動駆動において、前記駆動電力が所定電力よりも小さくなる第１期間と、前記駆動電力が前記所定電力以上となる第２期間と、を含み、
前記制御部は、前記電力変動駆動において、前記電極間電圧が閾値以上の場合、前記放電灯に供給される駆動電流を、第１駆動電流から第２駆動電流に切り替え、
前記第１駆動電流は、前記第２期間における前記駆動電流の熱負荷が前記第１期間における前記駆動電流の熱負荷よりも小さく、
前記第２駆動電流は、前記第２期間における前記駆動電流の熱負荷が前記第１期間における前記駆動電流の熱負荷よりも大きいことを特徴とする放電灯駆動装置。
【請求項２】
前記制御部は、前記電力変動駆動において、前記電極間電圧が前記閾値よりも小さい場合、前記駆動電流を、前記第２駆動電流から前記第１駆動電流に切り替える、請求項１に記載の放電灯駆動装置。
【請求項３】
前記第２駆動電流における前記第２期間の前記駆動電流の熱負荷は、前記第１駆動電流における前記第１期間の前記駆動電流の熱負荷以上である、請求項１または２に記載の放電灯駆動装置。
【請求項４】
前記第２駆動電流における前記第１期間の前記駆動電流の熱負荷は、前記第１駆動電流における前記第１期間の前記駆動電流の熱負荷よりも小さい、請求項１から３のいずれか一項に記載の放電灯駆動装置。
【請求項５】
前記第２駆動電流における前記第１期間の前記駆動電流の熱負荷は、前記第１駆動電流における前記第２期間の前記駆動電流の熱負荷よりも小さい、請求項１から４のいずれか一項に記載の放電灯駆動装置。
【請求項６】
前記所定電力の値は、前記電力変動駆動における前記駆動電力の最大値と最小値との中間の値である、請求項１から５のいずれか一項に記載の放電灯駆動装置。
【請求項７】
前記所定電力の値は、前記電力変動駆動における前記駆動電力の平均の値である、請求項１から６のいずれか一項に記載の放電灯駆動装置。
【請求項８】
前記電力変動駆動において前記放電灯に供給される駆動電流は、直流電流を含む、請求項１から７のいずれか一項に記載の放電灯駆動装置。
【請求項９】
前記電圧検出部は、前記電力変動駆動において、前記駆動電力が最小となるときに前記電極間電圧を検出する、請求項１から８のいずれか一項に記載の放電灯駆動装置。
【請求項１０】
前記制御部は、前記電力変動駆動において、前記駆動電力の変化の速さを４．０Ｗ／ｓ以下に制御する、請求項１から９のいずれか一項に記載の放電灯駆動装置。
【請求項１１】
光を射出する前記放電灯と、
請求項１から１０のいずれか一項に記載の放電灯駆動装置と、
を備えることを特徴とする光源装置。
【請求項１２】
請求項１１に記載の光源装置と、
前記光源装置から射出される光を画像信号に応じて変調する光変調装置と、
前記光変調装置により変調された光を投射する投射光学系と、
を備えることを特徴とするプロジェクター。
【請求項１３】
前記放電灯から射出される光の光量を調整する絞りを備え、
前記絞りは、前記電力変動駆動において、前記駆動電力の変動に応じた前記放電灯の輝度の変化を相殺するように、前記光量を調整する、請求項１２に記載のプロジェクター。
【請求項１４】
前記画像信号の輝度情報を調整可能な画像処理装置を備え、
前記画像処理装置は、前記電力変動駆動において、前記駆動電力の変動に応じた前記放電灯の輝度の変化を相殺するように、前記輝度情報を調整する、請求項１２に記載のプロジェクター。
【請求項１５】
放電灯に駆動電力を供給して、前記放電灯を駆動する放電灯駆動方法であって、
前記放電灯に供給される前記駆動電力を周期的に変動させる電力変動駆動を含み、
前記駆動電力は、前記電力変動駆動において、前記駆動電力が所定電力よりも小さくなる第１期間と、前記駆動電力が前記所定電力以上となる第２期間と、を含み、
前記電力変動駆動において、前記放電灯の電極間電圧が閾値以上の場合、前記放電灯に供給される駆動電流を、第１駆動電流から第２駆動電流に切り替え、
前記第１駆動電流は、前記第２期間における前記駆動電流の熱負荷が前記第１期間における前記駆動電流の熱負荷よりも小さく、
前記第２駆動電流は、前記第２期間における前記駆動電流の熱負荷が前記第１期間における前記駆動電流の熱負荷よりも大きいことを特徴とする放電灯駆動方法。
【発明の詳細な説明】
【技術分野】
【０００１】
本発明は、放電灯駆動装置、光源装置、プロジェクター、および放電灯駆動方法に関する。
【背景技術】
【０００２】
例えば、特許文献１には、光源の長寿命化を目的として、一定時間で変化を繰り返す駆動電力の揺らぎを発生させる技術が開示されている。また、例えば、特許文献２には、定格電力よりも低いランプ電力が一定時間以上ランプに供給される場合に、ランプ電力を所定時間、定格電力に上げる技術が開示されている。
【先行技術文献】
【特許文献】
【０００３】
【特許文献１】特許第４１１１２３８号公報
【特許文献２】特許第５５３６２１８号公報
【発明の概要】
【発明が解決しようとする課題】
【０００４】
しかし、放電灯の電極の状態は環境や使用状況によって変わるため、単純に駆動電力を変化させるだけでは、電極の突起が十分に成長しない場合があり、放電灯の寿命を十分に向上できない場合があった。
【０００５】
本発明の一つの態様は、上記問題点に鑑みて成されたものであって、放電灯の寿命を向上できる放電灯駆動装置、そのような放電灯駆動装置を備えた光源装置、およびそのような光源装置を備えたプロジェクターを提供することを目的の一つとする。また、本発明の一つの態様は、放電灯の寿命を向上できる放電灯駆動方法を提供することを目的の一つとする。
【課題を解決するための手段】
【０００６】
本発明の放電灯駆動装置の一つの態様は、放電灯に駆動電力を供給する放電灯駆動部と、前記放電灯駆動部を制御する制御部と、前記放電灯の電極間電圧を検出する電圧検出部と、を備え、前記制御部は、前記放電灯に供給される前記駆動電力を周期的に変動させる電力変動駆動を実行可能であり、前記駆動電力は、前記電力変動駆動において、前記駆動電力が所定電力よりも小さくなる第１期間と、前記駆動電力が前記所定電力以上となる第２期間と、を含み、前記制御部は、前記電力変動駆動において、前記電極間電圧が閾値以上の場合、前記放電灯に供給される駆動電流を、第１駆動電流から第２駆動電流に切り替え、前記第１駆動電流は、前記第２期間における前記駆動電流の熱負荷が前記第１期間における前記駆動電流の熱負荷よりも小さく、前記第２駆動電流は、前記第２期間における前記駆動電流の熱負荷が前記第１期間における前記駆動電流の熱負荷よりも大きいことを特徴とする。
【０００７】
本発明の放電灯駆動装置の一つの態様によれば、制御部は、電極間電圧が閾値以上の場合に、駆動電流を第１駆動電流から第２駆動電流に切り替える。第２駆動電流は、駆動電力が所定電力以上となる第２期間における駆動電流の熱負荷が、駆動電力が所定電力よりも小さくなる第１期間における駆動電流の熱負荷よりも大きい。そのため、第２駆動電流においては、駆動電力が比較的大きくなる第２期間において、駆動電流の熱負荷を大きくすることができる。これにより、放電灯が劣化した場合に、第２期間において、駆動電力による熱負荷と、駆動電流による熱負荷と、を共に大きくすることができ、放電灯の電極の突起を成長させることができる。したがって、本発明の放電灯駆動装置の一つの態様によれば、放電灯の寿命を向上することができる。
【０００８】
また、第１駆動電流は、駆動電力が所定電力以上となる第２期間における駆動電流の熱負荷が、駆動電力が所定電力よりも小さくなる第１期間における駆動電流の熱負荷よりも小さい。そのため、第２駆動電流に切り替えられる前、すなわち、電極間電圧が閾値よりも小さいときに、電極に過大な熱負荷が加えられることを抑制できる。これにより、放電灯の寿命が低下することを抑制できる。
【０００９】
前記制御部は、前記電力変動駆動において、前記電極間電圧が前記閾値よりも小さい場合、前記駆動電流を、前記第２駆動電流から前記第１駆動電流に切り替える構成としてもよい。
この構成によれば、電極間電圧の変化に応じて駆動電流を適切に切り替えることができる。
【００１０】
前記第２駆動電流における前記第２期間の前記駆動電流の熱負荷は、前記第１駆動電流における前記第１期間の前記駆動電流の熱負荷以上である構成としてもよい。
この構成によれば、第２駆動電流における第２期間において電極の突起をより成長させることができる。
【００１１】
前記第２駆動電流における前記第１期間の前記駆動電流の熱負荷は、前記第１駆動電流における前記第１期間の前記駆動電流の熱負荷よりも小さい構成としてもよい。
この構成によれば、第２駆動電流において、第１期間と第２期間とにおける熱負荷の差を大きくすることができ、電極の突起をより成長させることができる。
【００１２】
前記第２駆動電流における前記第１期間の前記駆動電流の熱負荷は、前記第１駆動電流における前記第２期間の前記駆動電流の熱負荷よりも小さい構成としてもよい。
この構成によれば、第２駆動電流において、第１期間と第２期間とにおける熱負荷の差をより大きくすることができる。
【００１３】
前記所定電力の値は、前記電力変動駆動における前記駆動電力の最大値と最小値との中間の値である構成としてもよい。
この構成によれば、電力変動駆動において、第１期間と第２期間とを適切に区分しやすい。
【００１４】
前記所定電力の値は、前記電力変動駆動における前記駆動電力の平均の値である構成としてもよい。
この構成によれば、電力変動駆動において、第１期間と第２期間とをより適切に区分しやすい。
【００１５】
前記電力変動駆動において前記放電灯に供給される駆動電流は、直流電流を含む構成としてもよい。
この構成によれば、直流電流が供給される長さを調整することで、駆動電流の熱負荷を調整できる。
【００１６】
前記電圧検出部は、前記電力変動駆動において、前記駆動電力が最小となるときに前記電極間電圧を検出する構成としてもよい。
この構成によれば、放電灯の劣化状態を正確に判断しやすい。
【００１７】
前記制御部は、前記電力変動駆動において、前記駆動電力の変化の速さを４．０Ｗ／ｓ以下に制御する構成としてもよい。
この構成によれば、駆動電力の変化による放電灯の輝度の変化を使用者に認識させにくくできる。
【００１８】
本発明の光源装置の一つの態様は、光を射出する前記放電灯と、上記の放電灯駆動装置と、を備えることを特徴とする。
【００１９】
本発明の光源装置の一つの態様によれば、上記の放電灯駆動装置を備えるため、放電灯の寿命を向上できる。
【００２０】
本発明のプロジェクターの一つの態様は、上記の光源装置と、前記光源装置から射出される光を画像信号に応じて変調する光変調装置と、前記光変調装置により変調された光を投射する投射光学系と、を備えることを特徴とする。
【００２１】
本発明のプロジェクターの一つの態様によれば、上記の光源装置を備えるため、放電灯の寿命を向上できる。
【００２２】
前記放電灯から射出される光の光量を調整する絞りを備え、前記絞りは、前記電力変動駆動において、前記駆動電力の変動に応じた前記放電灯の輝度の変化を相殺するように、前記光量を調整する構成としてもよい。
この構成によれば、プロジェクターから射出される画像の輝度変化を抑制できる。
【００２３】
前記画像信号の輝度情報を調整可能な画像処理装置を備え、前記画像処理装置は、前記電力変動駆動において、前記駆動電力の変動に応じた前記放電灯の輝度の変化を相殺するように、前記輝度情報を調整する構成としてもよい。
この構成によれば、プロジェクターから射出される画像の輝度変化を抑制できる。
【００２４】
本発明の放電灯駆動方法の一つの態様は、放電灯に駆動電力を供給して、前記放電灯を駆動する放電灯駆動方法であって、前記放電灯に供給される前記駆動電力を周期的に変動させる電力変動駆動を含み、前記駆動電力は、前記電力変動駆動において、前記駆動電力が所定電力よりも小さくなる第１期間と、前記駆動電力が前記所定電力以上となる第２期間と、を含み、前記電力変動駆動において、前記放電灯の電極間電圧が閾値以上の場合、前記放電灯に供給される駆動電流を、第１駆動電流から第２駆動電流に切り替え、前記第１駆動電流は、前記第２期間における前記駆動電流の熱負荷が前記第１期間における駆動電流の熱負荷よりも小さく、前記第２駆動電流は、前記第２期間における前記駆動電流の熱負荷が前記第１期間における前記駆動電流の熱負荷よりも大きいことを特徴とする。
【００２５】
本発明の放電灯駆動方法の一つの態様によれば、上述したのと同様にして、放電灯の寿命を向上できる。
【図面の簡単な説明】
【００２６】
【図１】本実施形態のプロジェクターの概略構成図である。
【図２】本実施形態における放電灯の断面図である。
【図３】本実施形態のプロジェクターの各種構成要素を示すブロック図である。
【図４】本実施形態の放電灯点灯装置の回路図である。
【図５】本実施形態の制御部の一構成例を示すブロック図である。
【図６】放電灯の電極先端の突起の様子を示す図である。
【図７】本実施形態の電力変動駆動における駆動電力を示すグラフである。
【図８】本実施形態の電力変動駆動における駆動電流波形の一例を示すグラフである。
【図９】本実施形態の電力変動駆動における駆動電流波形の一例を示すグラフである。
【発明を実施するための形態】
【００２７】
以下、図面を参照しながら、本発明の実施形態に係るプロジェクターについて説明する。
なお、本発明の範囲は、以下の実施の形態に限定されるものではなく、本発明の技術的思想の範囲内で任意に変更可能である。また、以下の図面においては、各構成をわかりやすくするために、実際の構造と各構造における縮尺や数等を異ならせる場合がある。
【００２８】
図１に示すように、本実施形態のプロジェクター５００は、光源装置２００と、平行化レンズ３０５と、照明光学系３１０と、色分離光学系３２０と、３つの液晶ライトバルブ（光変調装置）３３０Ｒ，３３０Ｇ，３３０Ｂと、クロスダイクロイックプリズム３４０と、投射光学系３５０と、を備えている。
【００２９】
光源装置２００から射出された光は、平行化レンズ３０５を通過して照明光学系３１０に入射する。平行化レンズ３０５は、光源装置２００からの光を平行化する。
【００３０】
照明光学系３１０は、光源装置２００から射出される光の照度を、液晶ライトバルブ３３０Ｒ，３３０Ｇ，３３０Ｂ上において均一化するように調整する。さらに、照明光学系３１０は、光源装置２００から射出される光の偏光方向を一方向に揃える。その理由は、光源装置２００から射出される光を液晶ライトバルブ３３０Ｒ，３３０Ｇ，３３０Ｂで有効に利用するためである。
【００３１】
照度分布と偏光方向とが調整された光は、色分離光学系３２０に入射する。色分離光学系３２０は、入射光を赤色光（Ｒ）、緑色光（Ｇ）、青色光（Ｂ）の３つの色光に分離する。３つの色光は、各色光に対応付けられた液晶ライトバルブ３３０Ｒ，３３０Ｇ，３３０Ｂにより、画像信号に応じてそれぞれ変調される。液晶ライトバルブ３３０Ｒ，３３０Ｇ，３３０Ｂは、後述する液晶パネル５６０Ｒ，５６０Ｇ，５６０Ｂと、偏光板（図示せず）と、を備えている。偏光板は、液晶パネル５６０Ｒ，５６０Ｇ，５６０Ｂのそれぞれの光入射側および光射出側に配置される。
【００３２】
変調された３つの色光は、クロスダイクロイックプリズム３４０により合成される。合成光は投射光学系３５０に入射する。投射光学系３５０は、入射光をスクリーン７００（図３参照）に投射する。これにより、スクリーン７００上に画像が表示される。なお、平行化レンズ３０５、照明光学系３１０、色分離光学系３２０、クロスダイクロイックプリズム３４０、投射光学系３５０の各々の構成としては、周知の構成を採用することができる。
【００３３】
図２は、光源装置２００の構成を示す断面図である。光源装置２００は、光源ユニット２１０と、放電灯点灯装置（放電灯駆動装置）１０と、を備えている。図２には、光源ユニット２１０の断面図が示されている。光源ユニット２１０は、主反射鏡１１２と、放電灯９０と、副反射鏡１１３と、を備えている。
【００３４】
放電灯点灯装置１０は、放電灯９０に駆動電力Ｗｄを供給して放電灯９０を点灯させる。主反射鏡１１２は、放電灯９０から放出された光を照射方向Ｄに向けて反射する。照射方向Ｄは、放電灯９０の光軸ＡＸと平行である。
【００３５】
放電灯９０の形状は、照射方向Ｄに沿って延びる棒状である。放電灯９０の一方の端部を第１端部９０ｅ１とし、放電灯９０の他方の端部を第２端部９０ｅ２とする。放電灯９０の材料は、例えば、石英ガラス等の透光性材料である。放電灯９０の中央部は球状に膨らんでおり、その内部は放電空間９１である。放電空間９１には、希ガス、金属ハロゲン化合物等を含む放電媒体であるガスが封入されている。
【００３６】
放電空間９１には、第１電極９２および第２電極９３の先端が突出している。第１電極９２は、放電空間９１の第１端部９０ｅ１側に配置されている。第２電極９３は、放電空間９１の第２端部９０ｅ２側に配置されている。第１電極９２および第２電極９３の形状は、光軸ＡＸに沿って延びる棒状である。放電空間９１には、第１電極９２および第２電極９３の電極先端部が、所定距離だけ離れて対向するように配置されている。第１電極９２および第２電極９３の材料は、例えば、タングステン等の金属である。
【００３７】
放電灯９０の第１端部９０ｅ１に、第１端子５３６が設けられている。第１端子５３６と第１電極９２とは、放電灯９０の内部を貫通する導電性部材５３４により電気的に接続されている。同様に、放電灯９０の第２端部９０ｅ２に、第２端子５４６が設けられている。第２端子５４６と第２電極９３とは、放電灯９０の内部を貫通する導電性部材５４４により電気的に接続されている。第１端子５３６および第２端子５４６の材料は、例えば、タングステン等の金属である。導電性部材５３４，５４４の材料としては、例えば、モリブデン箔が利用される。
【００３８】
第１端子５３６および第２端子５４６は、放電灯点灯装置１０に接続されている。放電灯点灯装置１０は、第１端子５３６および第２端子５４６に、放電灯９０を駆動するための駆動電力Ｗｄを供給する。その結果、第１電極９２および第２電極９３の間でアーク放電が起きる。アーク放電により発生した光（放電光）は、破線の矢印で示すように、放電位置から全方向に向かって放射される。
【００３９】
主反射鏡１１２は、固定部材１１４により、放電灯９０の第１端部９０ｅ１に固定されている。主反射鏡１１２は、放電光のうち、照射方向Ｄと反対側に向かって進む光を照射方向Ｄに向かって反射する。主反射鏡１１２の反射面（放電灯９０側の面）の形状は、放電光を照射方向Ｄに向かって反射できる範囲内において、特に限定されず、例えば、回転楕円形状であっても、回転放物線形状であってもよい。例えば、主反射鏡１１２の反射面の形状を回転放物線形状とした場合、主反射鏡１１２は、放電光を光軸ＡＸに略平行な光に変換することができる。これにより、平行化レンズ３０５を省略することができる。
【００４０】
副反射鏡１１３は、固定部材５２２により、放電灯９０の第２端部９０ｅ２側に固定されている。副反射鏡１１３の反射面（放電灯９０側の面）の形状は、放電空間９１の第２端部９０ｅ２側の部分を囲む球面形状である。副反射鏡１１３は、放電光のうち、主反射鏡１１２が配置された側と反対側に向かって進む光を主反射鏡１１２に向かって反射する。これにより、放電空間９１から放射される光の利用効率を高めることができる。
【００４１】
固定部材１１４，５２２の材料は、放電灯９０からの発熱に耐え得る耐熱材料である範囲内において、特に限定されず、例えば、無機接着剤である。主反射鏡１１２および副反射鏡１１３と放電灯９０との配置を固定する方法としては、主反射鏡１１２および副反射鏡１１３を放電灯９０に固定する方法に限らず、任意の方法を採用できる。例えば、放電灯９０と主反射鏡１１２とを、独立にプロジェクター５００の筐体（図示せず）に固定してもよい。副反射鏡１１３についても同様である。
【００４２】
以下、プロジェクター５００の回路構成について説明する。
図３は、本実施形態のプロジェクター５００の回路構成の一例を示す図である。プロジェクター５００は、図１に示した光学系の他、画像信号変換部５１０と、直流電源装置８０と、液晶パネル５６０Ｒ，５６０Ｇ，５６０Ｂと、画像処理装置５７０と、制御装置５８０と、冷却装置５０と、を備えている。
【００４３】
画像信号変換部５１０は、外部から入力された画像信号５０２（輝度−色差信号やアナログＲＧＢ信号など）を所定のワード長のデジタルＲＧＢ信号に変換して画像信号５１２Ｒ，５１２Ｇ，５１２Ｂを生成し、画像処理装置５７０に供給する。
【００４４】
画像処理装置５７０は、３つの画像信号５１２Ｒ，５１２Ｇ，５１２Ｂに対してそれぞれ画像処理を行う。画像処理装置５７０は、液晶パネル５６０Ｒ，５６０Ｇ，５６０Ｂをそれぞれ駆動するための駆動信号５７２Ｒ，５７２Ｇ，５７２Ｂを液晶パネル５６０Ｒ，５６０Ｇ，５６０Ｂに供給する。
【００４５】
本実施形態において画像処理装置５７０は、画像信号５１２Ｒ，５１２Ｇ，５１２Ｂの輝度情報を調整可能である。画像処理装置５７０は、放電灯９０に供給されている駆動電力Ｗｄの値を、電力信号５８１を介して制御装置５８０から受け取る。画像処理装置５７０は、電力信号５８１に基づいて画像信号５１２Ｒ，５１２Ｇ，５１２Ｂの輝度情報を調整する。本実施形態において画像処理装置５７０は、後述する電力変動駆動において、駆動電力Ｗｄの変動に応じた放電灯９０の輝度の変化を相殺するように、輝度情報を調整する。
【００４６】
直流電源装置８０は、外部の交流電源６００から供給される交流電圧を一定の直流電圧に変換する。直流電源装置８０は、トランス（図示しないが、直流電源装置８０に含まれる）の２次側にある画像信号変換部５１０、画像処理装置５７０およびトランスの１次側にある放電灯点灯装置１０に直流電圧を供給する。
【００４７】
放電灯点灯装置１０は、起動時に放電灯９０の電極間に高電圧を発生し、絶縁破壊を生じさせて放電路を形成する。以後、放電灯点灯装置１０は、放電灯９０が放電を維持するための駆動電流Ｉを供給する。
【００４８】
液晶パネル５６０Ｒ，５６０Ｇ，５６０Ｂは、前述した液晶ライトバルブ３３０Ｒ，３３０Ｇ，３３０Ｂにそれぞれ備えられている。液晶パネル５６０Ｒ，５６０Ｇ，５６０Ｂは、それぞれ駆動信号５７２Ｒ，５７２Ｇ，５７２Ｂに基づいて、前述した光学系を介して各液晶パネル５６０Ｒ，５６０Ｇ，５６０Ｂに入射される色光の透過率（輝度）を変調する。
【００４９】
冷却装置５０は、放電灯９０を冷却する。冷却装置５０は、例えば、ファンである。冷却装置５０は、放電灯９０に供給されている駆動電力Ｗｄの値を、電力信号５８３を介して制御装置５８０から受け取る。本実施形態において冷却装置５０は、駆動電力Ｗｄの値に応じて、放電灯９０を冷却する度合いを調整する。具体的には、例えば、冷却装置５０は、駆動電力Ｗｄの値に比例して、ファンの回転数、すなわち、ファン電圧を変化させる。ファンの出力をこのように変化させることで、駆動電力Ｗｄが変化した場合であっても、放電灯９０の温度を一定の温度範囲内に維持できる。
【００５０】
制御装置５８０は、プロジェクター５００の点灯開始から消灯に至るまでの各種の動作を制御する。例えば、図３の例では、通信信号５８２を介して点灯命令や消灯命令を放電灯点灯装置１０に出力する。制御装置５８０は、放電灯点灯装置１０から通信信号５８４を介して放電灯９０の点灯情報を受け取る。放電灯９０の点灯情報には、例えば、放電灯９０に供給される駆動電力Ｗｄの値が含まれる。上述したように制御装置５８０は、電力信号５８１を介して、駆動電力Ｗｄの値を画像処理装置５７０に出力する。また、制御装置５８０は、電力信号５８３を介して、駆動電力Ｗｄの値を冷却装置５０に出力する。
【００５１】
以下、放電灯点灯装置１０の構成について説明する。
図４は、放電灯点灯装置１０の回路構成の一例を示す図である。
放電灯点灯装置１０は、図４に示すように、電力制御回路２０と、極性反転回路３０と、制御部４０と、動作検出部６０と、イグナイター回路７０と、を備えている。
【００５２】
電力制御回路２０は、放電灯９０に供給する駆動電力Ｗｄを生成する。本実施形態においては、電力制御回路２０は、直流電源装置８０からの電圧を入力とし、入力電圧を降圧して直流電流Ｉｄを出力するダウンチョッパー回路で構成されている。
【００５３】
電力制御回路２０は、スイッチ素子２１、ダイオード２２、コイル２３およびコンデンサー２４を含んで構成される。スイッチ素子２１は、例えば、トランジスターで構成される。本実施形態においては、スイッチ素子２１の一端は直流電源装置８０の正電圧側に接続され、他端はダイオード２２のカソード端子およびコイル２３の一端に接続されている。
【００５４】
コイル２３の他端にコンデンサー２４の一端が接続され、コンデンサー２４の他端はダイオード２２のアノード端子および直流電源装置８０の負電圧側に接続されている。スイッチ素子２１の制御端子には、後述する制御部４０から電流制御信号が入力されてスイッチ素子２１のＯＮ／ＯＦＦが制御される。電流制御信号には、例えば、ＰＷＭ（Pulse Width Modulation）制御信号が用いられてもよい。
【００５５】
スイッチ素子２１がＯＮすると、コイル２３に電流が流れ、コイル２３にエネルギーが蓄えられる。その後、スイッチ素子２１がＯＦＦすると、コイル２３に蓄えられたエネルギーがコンデンサー２４とダイオード２２とを通る経路で放出される。その結果、スイッチ素子２１がＯＮする時間の割合に応じた直流電流Ｉｄが発生する。
【００５６】
極性反転回路３０は、電力制御回路２０から入力される直流電流Ｉｄを所定のタイミングで極性反転させる。これにより、極性反転回路３０は、制御された時間だけ継続する直流である駆動電流Ｉ、もしくは、任意の周波数を持つ交流である駆動電流Ｉを生成し、出力する。本実施形態において、極性反転回路３０は、インバーターブリッジ回路（フルブリッジ回路）で構成されている。
【００５７】
極性反転回路３０は、例えば、トランジスターなどで構成される第１のスイッチ素子３１、第２のスイッチ素子３２、第３のスイッチ素子３３、および第４のスイッチ素子３４を含んでいる。極性反転回路３０は、直列接続された第１のスイッチ素子３１および第２のスイッチ素子３２と、直列接続された第３のスイッチ素子３３および第４のスイッチ素子３４と、が互いに並列接続された構成を有する。第１のスイッチ素子３１、第２のスイッチ素子３２、第３のスイッチ素子３３、および第４のスイッチ素子３４の制御端子には、それぞれ制御部４０から極性反転制御信号が入力される。この極性反転制御信号に基づいて、第１のスイッチ素子３１、第２のスイッチ素子３２、第３のスイッチ素子３３および第４のスイッチ素子３４のＯＮ／ＯＦＦ動作が制御される。
【００５８】
極性反転回路３０においては、第１のスイッチ素子３１および第４のスイッチ素子３４と、第２のスイッチ素子３２および第３のスイッチ素子３３と、を交互にＯＮ／ＯＦＦさせる動作が繰り返される。これにより、電力制御回路２０から出力される直流電流Ｉｄの極性が交互に反転する。極性反転回路３０は、第１のスイッチ素子３１と第２のスイッチ素子３２との共通接続点、および第３のスイッチ素子３３と第４のスイッチ素子３４との共通接続点から、制御された時間だけ同一極性状態を継続する直流である駆動電流Ｉ、もしくは制御された周波数をもつ交流である駆動電流Ｉを生成し、出力する。
【００５９】
すなわち、極性反転回路３０は、第１のスイッチ素子３１および第４のスイッチ素子３４がＯＮのときには第２のスイッチ素子３２および第３のスイッチ素子３３がＯＦＦであり、第１のスイッチ素子３１および第４のスイッチ素子３４がＯＦＦのときには第２のスイッチ素子３２および第３のスイッチ素子３３がＯＮであるように制御される。したがって、第１のスイッチ素子３１および第４のスイッチ素子３４がＯＮのときには、コンデンサー２４の一端から第１のスイッチ素子３１、放電灯９０、第４のスイッチ素子３４の順に流れる駆動電流Ｉが発生する。第２のスイッチ素子３２および第３のスイッチ素子３３がＯＮのときには、コンデンサー２４の一端から第３のスイッチ素子３３、放電灯９０、第２のスイッチ素子３２の順に流れる駆動電流Ｉが発生する。
【００６０】
本実施形態において、電力制御回路２０と極性反転回路３０とを合わせた部分が放電灯駆動部２３０に対応する。すなわち、放電灯駆動部２３０は、放電灯９０を駆動する駆動電流Ｉ（駆動電力Ｗｄ）を放電灯９０に供給する。
【００６１】
制御部４０は、放電灯駆動部２３０を制御する。図４の例では、制御部４０は、電力制御回路２０および極性反転回路３０を制御することにより、駆動電流Ｉが同一極性を継続する保持時間、駆動電力Ｗｄの電力値（駆動電流Ｉの電流値）、周波数等のパラメーターを制御する。制御部４０は、極性反転回路３０に対して、駆動電流Ｉの極性反転タイミングにより、駆動電流Ｉが同一極性で継続する保持時間、駆動電流Ｉの周波数等を制御する極性反転制御を行う。制御部４０は、電力制御回路２０に対して、出力される直流電流Ｉｄの電流値を制御する電流制御を行う。
【００６２】
制御部４０は、放電灯９０に供給される駆動電力Ｗｄを周期的に変動させる電力変動駆動を実行可能である。制御部４０は、電力変動駆動において、後述する動作検出部６０の電圧検出部によって検出されたランプ電圧（電極間電圧）Ｖｌａに基づいて、駆動電流Ｉの駆動電流波形を切り替える。詳細については、後述する。
【００６３】
制御部４０の構成は、特に限定されない。本実施形態においては、制御部４０は、システムコントローラー４１、電力制御回路コントローラー４２、および極性反転回路コントローラー４３を含んで構成されている。なお、制御部４０は、その一部または全てを半導体集積回路で構成してもよい。
【００６４】
システムコントローラー４１は、電力制御回路コントローラー４２および極性反転回路コントローラー４３を制御することにより、電力制御回路２０および極性反転回路３０を制御する。システムコントローラー４１は、動作検出部６０が検出したランプ電圧Ｖｌａおよび駆動電流Ｉに基づき、電力制御回路コントローラー４２および極性反転回路コントローラー４３を制御してもよい。
【００６５】
本実施形態においては、システムコントローラー４１には、記憶部４４が接続されている。
システムコントローラー４１は、記憶部４４に格納された情報に基づき、電力制御回路２０および極性反転回路３０を制御してもよい。記憶部４４には、例えば、駆動電流Ｉが同一極性で継続する保持時間、駆動電流Ｉの電流値、基本周波数、波形、変調パターン等の駆動パラメーターに関する情報が格納されていてもよい。基本周波数とは、定常点灯モードにおいて、放電灯９０に供給される駆動電流Ｉの周波数である。
【００６６】
本実施形態において記憶部４４には、例えば、電力変動駆動における駆動電力Ｗｄの振幅および周波数、駆動電流Ｉの駆動電流波形、電力変動駆動において駆動電流波形を切り替える際に用いるランプ電圧Ｖｌａの閾値が格納されている。
【００６７】
電力制御回路コントローラー４２は、システムコントローラー４１からの制御信号に基づき、電力制御回路２０へ電流制御信号を出力することにより、電力制御回路２０を制御する。
【００６８】
極性反転回路コントローラー４３は、システムコントローラー４１からの制御信号に基づき、極性反転回路３０へ極性反転制御信号を出力することにより、極性反転回路３０を制御する。
【００６９】
図５は、制御部４０の他の構成例について説明するための図である。図５に示すように、制御部４０は、制御プログラムにより、電力制御回路２０を制御する電流制御手段４０−１、極性反転回路３０を制御する極性反転制御手段４０−２として機能するように構成されてもよい。
【００７０】
図４に示した例では、制御部４０は、放電灯点灯装置１０の一部として構成されている。これに対して、制御部４０の機能の一部を制御装置５８０が担うように構成されていてもよい。
【００７１】
動作検出部６０は、放電灯９０のランプ電圧Ｖｌａを検出して制御部４０にランプ電圧情報を出力する電圧検出部を含む。また、動作検出部６０は、駆動電流Ｉを検出して制御部４０に駆動電流情報を出力する電流検出部などを含んでいてもよい。本実施形態においては、動作検出部６０は、第１の抵抗６１、第２の抵抗６２および第３の抵抗６３を含んで構成されている。
【００７２】
本実施形態において、動作検出部６０の電圧検出部は、放電灯９０と並列に、互いに直列接続された第１の抵抗６１および第２の抵抗６２で分圧した電圧によりランプ電圧Ｖｌａを検出する。また、本実施形態において、電流検出部は、放電灯９０に直列に接続された第３の抵抗６３に発生する電圧により駆動電流Ｉを検出する。
【００７３】
イグナイター回路７０は、放電灯９０の点灯開始時にのみ動作する。イグナイター回路７０は、放電灯９０の点灯開始時に放電灯９０の電極間（第１電極９２と第２電極９３との間）を絶縁破壊して放電路を形成するために必要な高電圧（放電灯９０の通常点灯時よりも高い電圧）を、放電灯９０の電極間（第１電極９２と第２電極９３との間）に供給する。本実施形態においては、イグナイター回路７０は、放電灯９０と並列に接続されている。
【００７４】
図６（Ａ），（Ｂ）には、第１電極９２および第２電極９３の先端部分が示されている。第１電極９２および第２電極９３の先端にはそれぞれ突起５５２ｐ，５６２ｐが形成されている。
【００７５】
第１電極９２と第２電極９３の間で生じる放電は、主として突起５５２ｐと突起５６２ｐとの間で生じる。本実施形態のように突起５５２ｐ，５６２ｐがある場合には、突起が無い場合と比べて、第１電極９２および第２電極９３における放電位置（アーク位置）の移動を抑えることができる。
【００７６】
図６（Ａ）は、第１電極９２が陽極として動作し、第２電極９３が陰極として動作する第１極性状態を示している。第１極性状態では、放電により、第２電極９３（陰極）から第１電極９２（陽極）へ電子が移動する。陰極（第２電極９３）からは電子が放出される。陰極（第２電極９３）から放出された電子は陽極（第１電極９２）の先端に衝突する。この衝突によって熱が生じ、陽極（第１電極９２）の先端（突起５５２ｐ）の温度が上昇する。
【００７７】
図６（Ｂ）は、第１電極９２が陰極として動作し、第２電極９３が陽極として動作する第２極性状態を示している。第２極性状態では、第１極性状態とは逆に、第１電極９２から第２電極９３へ電子が移動する。その結果、第２電極９３の先端（突起５６２ｐ）の温度が上昇する。
【００７８】
このように、放電灯９０に駆動電流Ｉが供給されることで、電子が衝突する陽極の温度は上昇する。一方、電子を放出する陰極は、陽極に向けて電子を放出している間、温度は低下する。
【００７９】
第１電極９２と第２電極９３との電極間距離は、突起５５２ｐ，５６２ｐの劣化とともに大きくなる。突起５５２ｐ，５６２ｐが損耗するためである。電極間距離が大きくなると、第１電極９２と第２電極９３との間の抵抗が大きくなるため、ランプ電圧Ｖｌａが大きくなる。したがって、ランプ電圧Ｖｌａを参照することによって、電極間距離の変化、すなわち、放電灯９０の劣化度合いを検出することができる。
【００８０】
なお、第１電極９２と第２電極９３とは、同様の構成であるため、以下の説明においては、代表して第１電極９２についてのみ説明する場合がある。また、第１電極９２の先端の突起５５２ｐと第２電極９３の先端の突起５６２ｐとは、同様の構成であるため、以下の説明においては、代表して突起５５２ｐについてのみ説明する場合がある。
【００８１】
以下、本実施形態の制御部４０による放電灯駆動部２３０の制御について説明する。本実施形態においては、制御部４０が電力変動駆動を常時実行する場合について説明する。
【００８２】
図７は、電力変動駆動における駆動電力Ｗｄの変化を示すグラフである。図７において縦軸は、駆動電力Ｗｄを示しており、横軸は、時間Ｔを示している。
図７に示すように、電力変動駆動は、放電灯９０に供給される駆動電力Ｗｄを周期的に変動させる駆動である。
【００８３】
電力変動駆動において駆動電力Ｗｄは、例えば、定格電力Ｗｄｒと設定電力Ｗｄｓとの間で周期的に変化する。すなわち、図７の例では、電力変動駆動における駆動電力Ｗｄの最大値は、定格電力Ｗｄｒであり、電力変動駆動における駆動電力Ｗｄの最小値は、設定電力Ｗｄｓである。設定電力Ｗｄｓは、設定されている点灯モードにおける駆動電力Ｗｄである。本実施形態において設定電力Ｗｄｓは、定格電力Ｗｄｒよりも小さい。駆動電力Ｗｄは、図７の例では、例えば、正弦波状に変動する。
【００８４】
駆動電力Ｗｄが大きいほど放電灯９０の輝度は高くなり、駆動電力Ｗｄが小さいほど放電灯９０の輝度は低くなる。本実施形態においては、上述したように、画像処理装置５７０は、電力変動駆動において、駆動電力Ｗｄの変動に応じた放電灯９０の輝度の変化を相殺するように、輝度情報を調整する。すなわち、例えば、画像処理装置５７０は、駆動電力Ｗｄが設定電力Ｗｄｓよりも大きい場合に、設定電力Ｗｄｓにおける放電灯９０の輝度との差を相殺するように、画像信号５１２Ｒ，５１２Ｇ，５１２Ｂの輝度情報を低く設定する。
【００８５】
図７に示すように、駆動電力Ｗｄは、電力変動駆動において、駆動電力Ｗｄが中間電力（所定電力）Ｗｄｍよりも小さくなる第１期間Ｐ１と、駆動電力Ｗｄが中間電力Ｗｄｍ以上となる第２期間Ｐ２と、を含む。第１期間Ｐ１と第２期間Ｐ２とは交互に設けられている。第１期間Ｐ１は、図７の例では、例えば、時刻Ｔ３から時刻Ｔ５までの期間である。第２期間Ｐ２は、図７の例では、例えば、時刻Ｔ２から時刻Ｔ３までの期間、および時刻Ｔ５から時刻Ｔ６までの期間である。
【００８６】
ここで、中間電力Ｗｄｍは、定格電力Ｗｄｒと設定電力Ｗｄｓとの中間の電力である。すなわち、中間電力Ｗｄｍの値は、電力変動駆動における駆動電力Ｗｄの最大値と最小値との中間の値である。また、図７の例では、駆動電力Ｗｄの駆動電力波形は、正弦波状であるため、中間電力Ｗｄｍの値は、電力変動駆動における駆動電力Ｗｄの平均の値（所定電力）である。
【００８７】
図７に示す駆動電力波形の１周期は、１つの第１期間Ｐ１と１つの第２期間Ｐ２とからなる。すなわち、図７に示す駆動電力波形の１周期は、例えば、時刻Ｔ３から時刻Ｔ６までである。
【００８８】
本実施形態において駆動電力Ｗｄの周波数は、例えば、駆動電力Ｗｄの変化の速さが４．０Ｗ／ｓ以下に制御される。このように制御することで、駆動電力Ｗｄを変動させたことによる放電灯９０の輝度の変化を、使用者に認識させにくくできる。
【００８９】
駆動電力Ｗｄの周波数は、例えば、駆動電力Ｗｄの周期が６分以上、１５分以下程度に設定される。言い換えれば、駆動電力Ｗｄの周波数は、例えば、約０．００１Ｈｚ以上、０．００６Ｈｚ以下程度に設定される。
【００９０】
駆動電力Ｗｄが大きいほど放電灯９０の輝度は高くなり、駆動電力Ｗｄが小さいほど放電灯９０の輝度は低くなる。本実施形態においては、上述したように、画像処理装置５７０は、電力変動駆動において、駆動電力Ｗｄの変動に応じた放電灯９０の輝度の変化を相殺するように、輝度情報を調整する。すなわち、図７の例では、画像処理装置５７０は、例えば、駆動電力Ｗｄが設定電力Ｗｄｓよりも大きい場合に、設定電力Ｗｄｓにおける放電灯９０の輝度との差を相殺するように、画像信号５１２Ｒ，５１２Ｇ，５１２Ｂの輝度情報を低く設定する。
【００９１】
制御部４０は、電力変動駆動における所定の測定タイミングにおいてランプ電圧Ｖｌａを測定する。ランプ電圧Ｖｌａの測定は、動作検出部６０の電圧検出部によって行う。
本実施形態において、所定の測定タイミングとは、電力変動駆動において駆動電力Ｗｄの値が最小となるタイミングである。すなわち、動作検出部６０の電圧検出部は、電力変動駆動において、駆動電力Ｗｄが最小となるときにランプ電圧Ｖｌａを検出する。図７の例では、測定タイミングは、駆動電力Ｗｄが最小値である設定電力Ｗｄｓになるタイミング、すなわち、時刻Ｔ１，Ｔ４，Ｔ７である。
【００９２】
制御部４０は、測定したランプ電圧Ｖｌａの値に基づいて、電力変動駆動における駆動電流Ｉの駆動電流波形を切り替える。具体的には、制御部４０は、閾値を境として後述する第１駆動電流波形ＤＷ１と、第１駆動電流波形ＤＷ１と異なる第２駆動電流波形ＤＷ２とを切り替える。すなわち、制御部４０は、例えば、ランプ電圧Ｖｌａが閾値以上の場合、駆動電流波形（駆動電流Ｉ）を、第１駆動電流波形（第１駆動電流）ＤＷ１から第２駆動電流波形（第２駆動電流）ＤＷ２に切り替える。また、制御部４０は、例えば、ランプ電圧Ｖｌａが閾値よりも小さい場合、駆動電流波形（駆動電流Ｉ）を、第２駆動電流波形（第２駆動電流）ＤＷ２から第１駆動電流波形（第１駆動電流）ＤＷ１に切り替える。
【００９３】
ランプ電圧Ｖｌａの閾値は、例えば、初期ランプ電圧の値から＋５Ｖ程度に設定される。ランプ電圧Ｖｌａの閾値は、例えば、放電灯９０ごとに実験的に設定される。
【００９４】
以下、第１駆動電流波形ＤＷ１および第２駆動電流波形ＤＷ２について説明する。
図８（Ａ）は、本実施形態の駆動電流波形の一例である第１駆動電流波形ＤＷ１を示すグラフである。図８（Ａ）において縦軸は、駆動電流Ｉを示しており、横軸は時間Ｔを示している。図８（Ａ）において駆動電流Ｉは、第１極性状態である場合を正とし、第２極性状態となる場合を負として示している。図８（Ｂ）は、駆動電力Ｗｄの期間の変化を示す図であって、図８（Ａ）と合わせて、駆動電力Ｗｄの期間と第１駆動電流波形ＤＷ１との対応関係を示している。図８（Ａ），（Ｂ）においては、一例として時刻Ｔ３から時刻Ｔ６まで、すなわち、駆動電力波形の１周期分を示している。
【００９５】
図８（Ａ），（Ｂ）に示すように、第１駆動電流波形ＤＷ１は、第１期間Ｐ１における波形と、第２期間Ｐ２における波形と、が異なる。第１駆動電流波形ＤＷ１の第１期間Ｐ１における波形は、第１制御サイクルＣ１１と、第２制御サイクルＣ１２と、を含む。第１駆動電流波形ＤＷ１の第２期間Ｐ２における波形は、第３制御サイクルＣ１３と、第４制御サイクルＣ１４と、を含む。
【００９６】
第１制御サイクルＣ１１は、複数の単位駆動期間Ｕ１１が連続して構成されている。１つの第１制御サイクルＣ１１に含まれる単位駆動期間Ｕ１１の数は、特に限定されない。単位駆動期間Ｕ１１は、直流期間Ｕ１１ａと、交流期間Ｕ１１ｂと、からなる。
【００９７】
直流期間Ｕ１１ａは、駆動電流Ｉとして電流値Ｉｍ１の直流電流、すなわち、第１極性状態の直流電流が放電灯９０に供給される期間である。すなわち、電力変動駆動において放電灯９０に供給される駆動電流Ｉは、直流電流を含む。直流期間Ｕ１１ａの長さｔ１１ａは、例えば、１０ｍｓ（ミリ秒）以上、１５ｍｓ（ミリ秒）以下程度である。
【００９８】
交流期間Ｕ１１ｂは、駆動電流Ｉとして、電流値Ｉｍ１と電流値−Ｉｍ１との間で極性が複数回反転される交流電流が放電灯９０に供給される期間である。交流期間Ｕ１１ｂの周波数は、例えば、２００Ｈｚ以上、４００Ｈｚ以下程度である。
【００９９】
第２制御サイクルＣ１２は、複数の単位駆動期間Ｕ１２が連続して構成されている。単位駆動期間Ｕ１２は、直流期間の極性が反転している点を除いて、第１制御サイクルＣ１１の単位駆動期間Ｕ１１と同様である。
【０１００】
第３制御サイクルＣ１３は、複数の単位駆動期間Ｕ１３が連続して構成されている。１つの第３制御サイクルＣ１３に含まれる単位駆動期間Ｕ１３の数は、特に限定されない。１つの第３制御サイクルＣ１３に含まれる単位駆動期間Ｕ１３の数は、１つの第１制御サイクルＣ１１に含まれる単位駆動期間Ｕ１１の数と同じであってもよいし、異なっていてもよい。単位駆動期間Ｕ１３は、直流期間Ｕ１３ａと、交流期間Ｕ１３ｂと、からなる。
【０１０１】
直流期間Ｕ１３ａの長さｔ１３ａは、第１制御サイクルＣ１１における直流期間Ｕ１１ａの長さｔ１１ａよりも小さい。直流期間Ｕ１３ａのその他の構成は、直流期間Ｕ１１ａの構成と同様である。
【０１０２】
交流期間Ｕ１３ｂの長さｔ１３ｂは、第１制御サイクルＣ１１における交流期間Ｕ１１ｂの長さｔ１１ｂよりも大きい。交流期間Ｕ１３ｂのその他の構成は、交流期間Ｕ１１ｂの構成と同様である。
【０１０３】
第４制御サイクルＣ１４は、複数の単位駆動期間Ｕ１４が連続して構成されている。単位駆動期間Ｕ１４は、直流期間の極性が反転している点を除いて、第３制御サイクルＣ１３の単位駆動期間Ｕ１３と同様である。
【０１０４】
単位駆動期間Ｕ１１の長さと単位駆動期間Ｕ１３の長さとは、例えば、共に長さｔ１で同じである。そのため、単位駆動期間Ｕ１３における直流期間Ｕ１３ａの割合は、単位駆動期間Ｕ１１における直流期間Ｕ１１ａの割合よりも小さい。単位駆動期間Ｕ１２と単位駆動期間Ｕ１４とについても同様である。これにより、第１駆動電流波形ＤＷ１は、第２期間Ｐ２における駆動電流Ｉの熱負荷が第１期間Ｐ１における駆動電流Ｉの熱負荷よりも小さい。
【０１０５】
なお、図８（Ａ）の例では、第１期間Ｐ１において、第１制御サイクルＣ１１と、第２制御サイクルＣ１２とは、それぞれ一つずつ設けられているが、これに限られない。第１駆動電流波形ＤＷ１の第１期間Ｐ１においては、例えば、第１制御サイクルＣ１１と第２制御サイクルＣ１２とは、交互に複数回設けられる。第２期間Ｐ２における第３制御サイクルＣ１３および第４制御サイクルＣ１４についても同様である。
【０１０６】
図９（Ａ）は、本実施形態の駆動電流波形の一例である第２駆動電流波形ＤＷ２を示すグラフである。図９（Ａ）において縦軸は、駆動電流Ｉを示しており、横軸は時間Ｔを示している。図９（Ａ）において駆動電流Ｉは、第１極性状態である場合を正とし、第２極性状態となる場合を負として示している。図９（Ｂ）は、駆動電力Ｗｄの期間の変化を示す図であって、図９（Ａ）と合わせて、駆動電力Ｗｄの期間と第２駆動電流波形ＤＷ２との対応関係を示している。図９（Ａ），（Ｂ）においては、一例として時刻Ｔ３から時刻Ｔ６まで、すなわち、駆動電力波形の１周期分を示している。
【０１０７】
図９（Ａ），（Ｂ）に示すように、第２駆動電流波形ＤＷ２は、第１期間Ｐ１における波形と、第２期間Ｐ２における波形と、が異なる。第２駆動電流波形ＤＷ２の第１期間Ｐ１における波形は、第１制御サイクルＣ２１と、第２制御サイクルＣ２２と、を含む。第２駆動電流波形ＤＷ２の第２期間Ｐ２における波形は、第３制御サイクルＣ２３と、第４制御サイクルＣ２４と、を含む。
【０１０８】
第１制御サイクルＣ２１は、複数の単位駆動期間Ｕ２１が連続して構成されている。１つの第１制御サイクルＣ２１に含まれる単位駆動期間Ｕ２１の数は、特に限定されない。１つの第１制御サイクルＣ２１に含まれる単位駆動期間Ｕ２１の数は、第１駆動電流波形ＤＷ１における第１制御サイクルＣ１１に含まれる単位駆動期間Ｕ１１の数と同じであってもよいし、異なっていてもよい。単位駆動期間Ｕ２１の長さｔ２は、例えば、第１駆動電流波形ＤＷ１の第１制御サイクルＣ１１の単位駆動期間Ｕ１１の長さｔ１と同じである。単位駆動期間Ｕ２１は、直流期間Ｕ２１ａと、交流期間Ｕ２１ｂと、からなる。
【０１０９】
直流期間Ｕ２１ａの長さｔ２１ａは、第１駆動電流波形ＤＷ１の第１制御サイクルＣ１１における直流期間Ｕ１１ａの長さｔ１１ａよりも小さい。直流期間Ｕ２１ａの長さｔ２１ａは、第１駆動電流波形ＤＷ１の第３制御サイクルＣ１３における直流期間Ｕ１３ａの長さｔ１３ａよりも小さい。直流期間Ｕ２１ａの長さｔ２１ａは、例えば、５ｍｓ（ミリ秒）程度である。直流期間Ｕ２１ａのその他の構成は、直流期間Ｕ１１ａの構成と同様である。
【０１１０】
交流期間Ｕ２１ｂの長さｔ２１ｂは、第１駆動電流波形ＤＷ１の第１制御サイクルＣ１１における交流期間Ｕ１１ｂの長さｔ１１ｂよりも大きい。交流期間Ｕ２１ｂの長さｔ２１ｂは、第１駆動電流波形ＤＷ１の第３制御サイクルＣ１３における交流期間Ｕ１３ｂの長さｔ１３ｂよりも大きい。交流期間Ｕ２１ｂのその他の構成は、交流期間Ｕ１１ｂの構成と同様である。
【０１１１】
第２制御サイクルＣ２２は、複数の単位駆動期間Ｕ２２が連続して構成されている。単位駆動期間Ｕ２２は、直流期間の極性が反転している点を除いて、第１制御サイクルＣ２１の単位駆動期間Ｕ２１と同様である。
【０１１２】
第３制御サイクルＣ２３は、複数の単位駆動期間Ｕ２３が連続して構成されている。１つの第３制御サイクルＣ２３に含まれる単位駆動期間Ｕ２３の数は、特に限定されない。１つの第３制御サイクルＣ２３に含まれる単位駆動期間Ｕ２３の数は、第１制御サイクルＣ２１に含まれる単位駆動期間Ｕ２１の数と同じであってもよいし、異なっていてもよい。単位駆動期間Ｕ２３は、直流期間Ｕ２３ａと、交流期間Ｕ２３ｂと、からなる。
【０１１３】
直流期間Ｕ２３ａの長さｔ２３ａは、第１制御サイクルＣ２１における直流期間Ｕ２１ａの長さｔ２１ａよりも大きい。直流期間Ｕ２３ａの長さｔ２３ａは、第１駆動電流波形ＤＷ１の第１制御サイクルＣ１１における直流期間Ｕ１１ａの長さｔ１１ａ以上である。例えば、図８および図９の例では、直流期間Ｕ２３ａの長さｔ２３ａは、直流期間Ｕ１１ａの長さｔ１１ａよりも大きい。直流期間Ｕ２３ａのその他の構成は、直流期間Ｕ２１ａの構成と同様である。
【０１１４】
交流期間Ｕ２３ｂの長さｔ２３ｂは、第１制御サイクルＣ２１における交流期間Ｕ２１ｂの長さｔ２１ｂよりも小さい。交流期間Ｕ２３ｂの長さｔ２３ｂは、第１駆動電流波形ＤＷ１の第１制御サイクルＣ１１における交流期間Ｕ１１ｂの長さｔ１１ｂ以下である。例えば、図８および図９の例では、交流期間Ｕ２３ｂの長さｔ２３ｂは、交流期間Ｕ１１ｂの長さｔ１１ｂよりも小さい。交流期間Ｕ２３ｂのその他の構成は、交流期間Ｕ２１ｂの構成と同様である。
【０１１５】
第４制御サイクルＣ２４は、複数の単位駆動期間Ｕ２４が連続して構成されている。単位駆動期間Ｕ２４は、直流期間の極性が反転している点を除いて、第３制御サイクルＣ２３の単位駆動期間Ｕ２３と同様である。
【０１１６】
単位駆動期間Ｕ２１の長さと単位駆動期間Ｕ２３の長さとは、例えば、共に長さｔ２で同じである。そのため、単位駆動期間Ｕ２３における直流期間Ｕ２３ａの割合は、単位駆動期間Ｕ２１における直流期間Ｕ２１ａの割合よりも大きい。単位駆動期間Ｕ２２と単位駆動期間Ｕ２４とについても同様である。これにより、第２駆動電流波形ＤＷ２は、第２期間Ｐ２における駆動電流Ｉの熱負荷が第１期間Ｐ１における駆動電流Ｉの熱負荷よりも大きい。
【０１１７】
また、本実施形態において、単位駆動期間Ｕ２３の長さｔ２と単位駆動期間Ｕ１１の長さｔ１とは同じである。そのため、単位駆動期間Ｕ２３における直流期間Ｕ２３ａの割合は、単位駆動期間Ｕ１１における直流期間Ｕ１１ａの割合以上である。単位駆動期間Ｕ２４と単位駆動期間Ｕ１２とについても同様である。これにより、第２駆動電流波形ＤＷ２における第２期間Ｐ２の駆動電流Ｉの熱負荷は、第１駆動電流波形ＤＷ１における第１期間Ｐ１の駆動電流Ｉの熱負荷以上である。
【０１１８】
また、同様に、単位駆動期間Ｕ２１における直流期間Ｕ２１ａの割合は、単位駆動期間Ｕ１１における直流期間Ｕ１１ａの割合よりも小さく、単位駆動期間Ｕ１３における直流期間Ｕ１３ａの割合よりも小さい。単位駆動期間Ｕ２２と、単位駆動期間Ｕ１２および単位駆動期間Ｕ１４と、についても同様である。これにより、第２駆動電流波形ＤＷ２における第１期間Ｐ１の駆動電流Ｉの熱負荷は、第１駆動電流波形ＤＷ１における第１期間Ｐ１の駆動電流Ｉの熱負荷よりも小さく、第１駆動電流波形ＤＷ１における第２期間Ｐ２の駆動電流Ｉの熱負荷よりも小さい。
【０１１９】
なお、図９（Ａ）の例では、第１期間Ｐ１において、第１制御サイクルＣ２１と、第２制御サイクルＣ２２とは、それぞれ一つずつ設けられているが、これに限られない。第２駆動電流波形ＤＷ２の第１期間Ｐ１においては、例えば、第１制御サイクルＣ２１と第２制御サイクルＣ２２とは、交互に複数回設けられる。第２期間Ｐ２における第３制御サイクルＣ２３および第４制御サイクルＣ２４についても同様である。
【０１２０】
以上に説明したように、第１駆動電流波形ＤＷ１および第２駆動電流波形ＤＷ２は、それぞれ第１期間Ｐ１と第２期間Ｐ２とにおいて駆動電流Ｉの熱負荷が変化する駆動電流波形である。言い換えると、第１駆動電流波形ＤＷ１および第２駆動電流波形ＤＷ２は、駆動電力Ｗｄに基づいて駆動電流Ｉの熱負荷が変化する駆動電流波形である。
【０１２１】
第１駆動電流波形ＤＷ１は、駆動電力Ｗｄが比較的大きい第２期間Ｐ２における駆動電流Ｉの熱負荷が第１期間Ｐ１における駆動電流Ｉの熱負荷よりも小さい。一方、第２駆動電流波形ＤＷ２は、駆動電力Ｗｄが比較的大きい第２期間Ｐ２における駆動電流Ｉの熱負荷が第１期間Ｐ１における駆動電流Ｉの熱負荷よりも大きい。
【０１２２】
制御部４０は、電力変動駆動において、第１駆動電流波形ＤＷ１と第２駆動電流波形ＤＷ２とのうちの設定された駆動電流波形において、駆動電力Ｗｄに基づいて駆動電流Ｉの熱負荷が変化するように、放電灯駆動部２３０を制御する。また、制御部４０は、ランプ電圧Ｖｌａが閾値以上であるか否かに応じて、第１駆動電流波形ＤＷ１と第２駆動電流波形ＤＷ２とを切り替えることで、ランプ電圧Ｖｌａに基づいて駆動電流Ｉの熱負荷が変化するように、放電灯駆動部２３０を制御する。このように、制御部４０は、ランプ電圧Ｖｌａと駆動電力Ｗｄとに基づいて、電力変動駆動において放電灯９０に供給される駆動電流Ｉの熱負荷を変化させる。
【０１２３】
上述した制御部４０による制御は、放電灯駆動方法として表すこともできる。すなわち、本実施形態の放電灯駆動方法は、放電灯９０に駆動電力Ｗｄを供給して、放電灯９０を駆動する放電灯駆動方法であって、放電灯９０に供給される駆動電力Ｗｄを周期的に変動させる電力変動駆動を含み、駆動電力Ｗｄは、電力変動駆動において、駆動電力Ｗｄが中間電力Ｗｄｍよりも小さくなる第１期間Ｐ１と、駆動電力Ｗｄが中間電力Ｗｄｍ以上となる第２期間Ｐ２と、を含み、電力変動駆動において、ランプ電圧Ｖｌａが閾値以上の場合、放電灯９０に供給される駆動電流Ｉの駆動電流波形を、第１駆動電流波形（第１駆動電流）ＤＷ１から第２駆動電流波形（第２駆動電流）ＤＷ２に切り替え、第１駆動電流波形ＤＷ１は、第２期間Ｐ２における駆動電流Ｉの熱負荷が第１期間Ｐ１における駆動電流Ｉの熱負荷よりも小さく、第２駆動電流波形ＤＷ２は、第２期間Ｐ２における駆動電流Ｉの熱負荷が第１期間Ｐ１における駆動電流Ｉの熱負荷よりも大きいことを特徴とする。
【０１２４】
本実施形態によれば、制御部４０は、電力変動駆動において、ランプ電圧Ｖｌａが閾値以上の場合、駆動電流波形を、第１駆動電流波形ＤＷ１から第２駆動電流波形ＤＷ２に切り替える。第２駆動電流波形ＤＷ２は、第２期間Ｐ２における駆動電流Ｉの熱負荷が第１期間Ｐ１における駆動電流Ｉの熱負荷よりも大きい。第２期間Ｐ２は、駆動電力Ｗｄが中間電力Ｗｄｍ以上となる期間である。すなわち、第２期間Ｐ２においては、駆動電力Ｗｄが比較的大きく、第１電極９２に加えられる熱負荷が比較的大きい。そのため、放電灯９０がある程度劣化して第１電極９２の突起５５２ｐが成長しにくくなった場合に、第２期間Ｐ２において、駆動電力Ｗｄによる熱負荷と、駆動電流Ｉによる熱負荷と、を共に大きくできる。これにより、第１電極９２に加えられる熱負荷を好適に大きくすることができ、第１電極９２の突起５５２ｐを成長させることができる。したがって、本実施形態によれば、放電灯９０の寿命を向上できる。
【０１２５】
また、例えば、放電灯９０の劣化度合いが比較的小さい場合には、第１電極９２の突起５５２ｐは成長しやすく、電力変動駆動において駆動電力Ｗｄを比較的大きくすることのみによっても十分に突起５５２ｐを成長させることができる。この場合、駆動電力Ｗｄが比較的大きくなる第２期間Ｐ２において駆動電流波形による熱負荷を大きくすると、第１電極９２に加えられる熱負荷が過大となり、却って放電灯９０の寿命が低下する虞があった。
【０１２６】
これに対して、本実施形態によれば、第１駆動電流波形ＤＷ１は、第２期間Ｐ２における駆動電流Ｉの熱負荷が第１期間Ｐ１における駆動電流Ｉの熱負荷よりも小さい。そのため、駆動電流波形が第２駆動電流波形ＤＷ２に切り替えられる前、すなわち、ランプ電圧Ｖｌａが閾値よりも小さい場合に、駆動電力Ｗｄが比較的大きい第２期間Ｐ２における駆動電流Ｉによる熱負荷を小さくできる。これにより、放電灯９０の劣化度合いが比較的小さい場合に、第１電極９２に過大な熱負荷を加えることを抑制できる。その結果として、本実施形態によれば、放電灯９０の寿命が低下することを抑制できる。
【０１２７】
また、本実施形態によれば、制御部４０は、電力変動駆動において、ランプ電圧Ｖｌａが閾値よりも小さい場合、駆動電流波形を、第２駆動電流波形ＤＷ２から第１駆動電流波形ＤＷ１に切り替える。そのため、駆動電流波形を第２駆動電流波形ＤＷ２に切り替えた後、突起５５２ｐが成長してランプ電圧Ｖｌａが閾値よりも低下した場合に、第２駆動電流波形ＤＷ２によって第１電極９２に過大な熱負荷が加えられることを抑制できる。これにより、本実施形態によれば、ランプ電圧Ｖｌａに応じて、駆動電流波形を適切に切り替えることが可能であり、放電灯９０の寿命をより向上できる。
【０１２８】
また、本実施形態によれば、第２駆動電流波形ＤＷ２における第２期間Ｐ２の駆動電流Ｉの熱負荷は、第１駆動電流波形ＤＷ１における第１期間Ｐ１の駆動電流Ｉの熱負荷以上である。そのため、放電灯９０がある程度劣化した場合に、第２期間Ｐ２において、駆動電力Ｗｄによる熱負荷を大きくでき、駆動電流Ｉによる熱負荷を、第１駆動電流波形ＤＷ１における第１期間Ｐ１の駆動電流Ｉの熱負荷以上とすることができる。これにより、第１電極９２に加えられる熱負荷をより大きくすることができる。したがって、本実施形態によれば、第１電極９２の突起５５２ｐをより成長させることができ、放電灯９０の寿命をより向上できる。
【０１２９】
また、放電灯９０がある程度劣化した場合には、駆動電力Ｗｄが比較的小さい第１期間Ｐ１において駆動電流Ｉによる熱負荷を大きくしても、第１電極９２の突起５５２ｐは成長しにくい。一方、放電灯９０がある程度劣化した場合には、第１期間Ｐ１における熱負荷と第２期間Ｐ２における熱負荷との差を大きくすることで、電力変動駆動において第１電極９２に加えられる刺激を大きくすることができ、突起５５２ｐをより成長させることができる。そのため、放電灯９０がある程度劣化した場合、すなわち、駆動電流波形が第２駆動電流波形ＤＷ２に切り替えられた場合には、第１期間Ｐ１における駆動電流Ｉによる熱負荷を小さくすることが好ましい。
【０１３０】
これに対して、本実施形態によれば、第２駆動電流波形ＤＷ２における第１期間Ｐ１の駆動電流Ｉの熱負荷は、第１駆動電流波形ＤＷ１における第１期間Ｐ１の駆動電流Ｉの熱負荷よりも小さい。そのため、第２駆動電流波形ＤＷ２における第１期間Ｐ１の駆動電流Ｉの熱負荷を小さくすることができ、突起５５２ｐをより成長させることができる。したがって、本実施形態によれば、放電灯９０の寿命をより向上できる。
【０１３１】
また、本実施形態によれば、第２駆動電流波形ＤＷ２における第１期間Ｐ１の駆動電流Ｉの熱負荷は、第１駆動電流波形ＤＷ１における第２期間Ｐ２の駆動電流Ｉの熱負荷よりも小さい。そのため、第２駆動電流波形ＤＷ２における第１期間Ｐ１の駆動電流Ｉの熱負荷をより小さくすることができ、突起５５２ｐをより成長させることができる。したがって、本実施形態によれば、放電灯９０の寿命をより向上できる。
【０１３２】
また、本実施形態によれば、第１期間Ｐ１と第２期間Ｐ２とを区分する所定電力は、中間電力Ｗｄｍである。中間電力Ｗｄｍの値は、電力変動駆動における駆動電力Ｗｄの最大値と最小値との中間の値である。そのため、駆動電力Ｗｄの大きさに応じて、第１期間Ｐ１と第２期間Ｐ２とを適切に区分しやすく、駆動電流波形の波形を適切に変化させやすい。これにより、放電灯９０の第１電極９２に加えられる熱負荷を適切に変化させることができ、放電灯９０の寿命をより向上できる。
【０１３３】
また、本実施形態によれば、第１期間Ｐ１と第２期間Ｐ２とを区分する所定電力の値（中間電力Ｗｄｍの値）は、電力変動駆動における駆動電力Ｗｄの平均の値である。そのため、駆動電力Ｗｄの大きさに応じて、第１期間Ｐ１と第２期間Ｐ２とをより適切に区分しやすく、駆動電流波形の波形をより適切に変化させやすい。その結果、本実施形態によれば、放電灯９０の寿命をより向上できる。
【０１３４】
また、本実施形態によれば、第１駆動電流波形ＤＷ１は、直流期間Ｕ１１ａ，Ｕ１３ａを含み、第２駆動電流波形ＤＷ２は、直流期間Ｕ２１ａ，Ｕ２３ａを含む。すなわち、電力変動駆動において放電灯９０に供給される駆動電流Ｉは、直流電流を含む。そのため、放電灯９０に直流電流が供給される期間の長さを調整することで、駆動電流Ｉの熱負荷を調整できる。
【０１３５】
また、例えば、本実施形態のように駆動電力Ｗｄを周期的に変動させる場合には、駆動電力Ｗｄの大きさによってランプ電圧Ｖｌａの大きさが変動する。そのため、いつの時点でのランプ電圧Ｖｌａを基準にするかによって、ランプ電圧Ｖｌａに対する評価が変動し、適切に放電灯９０の劣化状態を判断できない場合ある。これにより、適切に駆動電流波形を切り替えることができない場合がある。
【０１３６】
これに対して、本実施形態によれば、電圧検出部は、電力変動駆動において、駆動電力Ｗｄが最小となるときにランプ電圧Ｖｌａを検出する。そのため、常に駆動電力Ｗｄが最小となる時点を基準として、ランプ電圧Ｖｌａの評価を行うことができ、放電灯９０の劣化状態を正確に判断しやすい。これにより、本実施形態によれば、駆動電流波形を適切なタイミングで切り替えることができ、結果として、放電灯９０の寿命を向上できる。
【０１３７】
また、駆動電力Ｗｄが最小となるときは、第１電極９２に加えられる熱負荷が最も低い。そのため、第１電極９２と第２電極９３との電極間距離が最も大きく、ランプ電圧Ｖｌａは最も大きくなる。これにより、本実施形態によれば、ランプ電圧Ｖｌａの変化、すなわち、放電灯９０の劣化状態をより正確に判断しやすい。
【０１３８】
また、本実施形態によれば、画像処理装置５７０は、駆動電力Ｗｄの変動に応じた放電灯９０の輝度の変化を相殺するように、画像信号５１２Ｒ，５１２Ｇ，５１２Ｂの輝度情報を調整する。これにより、駆動電力Ｗｄが変動する電力変動駆動において、プロジェクター５００から射出される画像の輝度が、駆動電力Ｗｄに応じて変化することを抑制できる。
【０１３９】
また、例えば、上述したように、画像処理装置５７０を用いて輝度情報を調整する場合であっても、駆動電力Ｗｄの変化の速さが大きい場合には、プロジェクター５００から射出される画像の輝度の変化が使用者に認識される虞がある。
【０１４０】
これに対して、本実施形態によれば、制御部４０は、駆動電力Ｗｄの変化の速さを４．０Ｗ／ｓ以下に制御する。駆動電力Ｗｄの変化の速さが４．０Ｗ／ｓ以下であると、使用者は画像の輝度変化を認識しにくい。そのため、本実施形態によれば、駆動電力Ｗｄを変動させる電力変動駆動において、使用者が画像の輝度の変化を認識することを抑制できる。
【０１４１】
また、例えば、定格電力Ｗｄｒよりも低い低電力を放電灯９０に供給して、放電灯９０を駆動する低電力モードの場合、第１電極９２に加えられる熱負荷が小さい。そのため、第１電極９２の突起５５２ｐが小さくなりやすく、定格電力Ｗｄｒで放電灯９０を駆動する場合に比べて、放電灯９０の第１電極９２の形状を維持することが特に困難である。したがって、本実施形態における放電灯９０の寿命を向上させる効果は、このような低電力モードにおいて特に高く得られる。
【０１４２】
なお、本実施形態においては、以下の構成および方法を採用することもできる。
【０１４３】
本実施形態においては、駆動電流波形は、第１駆動電流波形ＤＷ１と第２駆動電流波形ＤＷ２との２つの間で変化する構成としたが、これに限られない。本実施形態においては、駆動電流波形は、例えば、３つ以上の駆動電流波形の間を変化する構成としてもよい。
【０１４４】
また、上記説明においては、駆動電力波形が２つの期間、すなわち、第１期間Ｐ１と第２期間Ｐ２とに区分される構成としたが、これに限られない。本実施形態においては、駆動電力波形が３つ以上の期間に区分される構成としてもよい。この場合、第１期間は、例えば、区分された駆動電力波形の期間のうち駆動電力Ｗｄの平均電力が最も小さい期間に相当する。また、第２期間は、例えば、区分された駆動電力波形の期間のうち駆動電力Ｗｄの平均電力が最も大きい期間に相当する。
【０１４５】
また、駆動電力波形が３つ以上の期間に区分される構成においては、それぞれの期間における駆動電流Ｉの波形は、例えば、互いに異なる。このとき、第１駆動電流波形においては、各期間の駆動電力Ｗｄの平均が大きくなるのに伴って、駆動電流Ｉの熱負荷を小さくする。第２駆動電流波形においては、各期間の駆動電力Ｗｄの平均が大きくなるのに伴って、駆動電流Ｉの熱負荷を大きくする。すなわち、第１駆動電流波形においては、駆動電力Ｗｄの上昇と共に、駆動電流Ｉの熱負荷が小さくなるようにし、第２駆動電流波形においては、駆動電力Ｗｄの上昇と共に、駆動電流Ｉの熱負荷が大きくなるようにする。
【０１４６】
この構成によれば、駆動電力Ｗｄの変化に応じて、より適切に駆動電流Ｉの波形を変化させることができるため、放電灯９０の寿命をより向上できる。
【０１４７】
また、本実施形態においては、各制御サイクルＣ１１〜Ｃ１４，Ｃ２１〜Ｃ２４はそれぞれ複数の単位駆動期間を含む構成としたが、これに限られない。本実施形態においては、例えば、各制御サイクルＣ１１〜Ｃ１４，Ｃ２１〜Ｃ２４が単位駆動期間を１つのみ含む構成であってもよい。この構成においては、直流期間において放電灯９０に供給される直流電流の極性が、単位駆動期間ごとに交互に反転する。
【０１４８】
また、本実施形態においては、駆動電流波形が第１駆動電流波形ＤＷ１から第２駆動電流波形ＤＷ２に切り替えられた後、第１駆動電流波形ＤＷ１に戻らない構成としてもよい。
【０１４９】
また、本実施形態においては、第２駆動電流波形ＤＷ２における第２期間Ｐ２の駆動電流Ｉの熱負荷は、第１駆動電流波形ＤＷ１における第１期間Ｐ１の駆動電流Ｉの熱負荷よりも小さくてもよい。
【０１５０】
また、第２駆動電流波形ＤＷ２における第１期間Ｐ１の駆動電流Ｉの熱負荷は、第１駆動電流波形ＤＷ１における第１期間Ｐ１の駆動電流Ｉの熱負荷よりも大きくてもよいし、第１駆動電流波形ＤＷ１における第２期間Ｐ２の駆動電流Ｉの熱負荷よりも大きくてもよい。すなわち、第２駆動電流波形ＤＷ２の第１期間Ｐ１における直流期間Ｕ２１ａの長さｔ２１ａは、第１駆動電流波形ＤＷ１の第１期間Ｐ１における直流期間Ｕ１１ａの長さｔ１１ａよりも大きくてもよいし、第１駆動電流波形ＤＷ１の第２期間Ｐ２における直流期間Ｕ１３ａの長さｔ１３ａよりも大きくてもよい。
【０１５１】
また、上記説明においては、駆動電流Ｉの熱負荷を調整する方法として、駆動電流Ｉにおける直流電流の割合を調整する方法について説明したが、これに限られない。本実施形態においては、例えば、駆動電流波形の交流電流の周波数またはデューティ比を調整することで、駆動電流Ｉの熱負荷を調整してもよい。
【０１５２】
また、本実施形態においては、駆動電流Ｉの直流電流の割合、駆動電流Ｉの交流電流の周波数およびデューティ比のうちのいずれか２つ以上を調整して、駆動電流Ｉの熱負荷を調整してもよい。
【０１５３】
また、本実施形態においては、駆動電流Ｉは、一部の期間において直流電流を含まなくてもよいし、すべての期間において直流電流を含まなくてもよい。本実施形態においては、例えば、図８（Ａ）に示す第１駆動電流波形ＤＷ１、および図９（Ａ）に示す第２駆動電流波形ＤＷ２において、第２駆動電流波形ＤＷ２における第１制御サイクルＣ２１および第２制御サイクルＣ２２においてのみ駆動電流Ｉが直流電流を含まない構成でもよい。
【０１５４】
また、本実施形態においては、測定タイミングごとにランプ電圧Ｖｌａを記憶し、測定タイミング間におけるランプ電圧Ｖｌａの変化量に基づいて駆動電流波形を変化させてもよい。すなわち、本実施形態においては、測定タイミング間におけるランプ電圧Ｖｌａの変化量が所定値以上となった場合に、駆動電流波形を、第１駆動電流波形ＤＷ１から第２駆動電流波形ＤＷ２に切り替える構成としてもよい。この場合、ランプ電圧Ｖｌａの閾値は、時間的に隣り合う２つの測定タイミングのうち時間的に前に設けられた測定タイミングにおけるランプ電圧Ｖｌａに対して所定値を足し合わせた値に相当する。
【０１５５】
この構成によれば、時間的に隣り合う測定タイミング間におけるランプ電圧Ｖｌａの変化量に基づいて駆動電流波形を変化させる。そのため、ランプ電圧Ｖｌａが上昇し始めたタイミング、すなわち、放電灯９０が劣化し始めたタイミングをより早く検出することができる。これにより、放電灯９０の劣化に対して迅速に対処することが可能となり、結果として、放電灯９０の寿命を向上できる。
【０１５６】
また、上記説明においては、電力変動駆動は、常に実行されるものとしたが、これに限られない。本実施形態においては、電力変動駆動は、所定条件に基づいて実行されてもよい。本実施形態においては、例えば、ランプ電圧Ｖｌａがある値を超えた際に、制御部４０が電力変動駆動を実行してもよい。この場合において、電力変動駆動を実行して、ランプ電圧Ｖｌａがある値以下となった場合には、制御部４０は、電力変動駆動の実行を停止してもよい。電力変動駆動が実行されない期間においては、例えば、駆動電力Ｗｄは設定電力Ｗｄｓに一定に維持される。
【０１５７】
また、本実施形態においては、放電灯９０から射出される光の光量を調整する絞りを備えてもよい。絞りは、例えば、光源装置２００と平行化レンズ３０５との間の光路上に配置される。絞りは、光源装置２００、すなわち放電灯９０から射出される光の一部を遮断できる。
【０１５８】
この構成においては、駆動電力Ｗｄの変動による画像の輝度変化を、画像処理装置５７０によらず、絞りを用いて相殺してもよい。すなわち、絞りは、電力変動駆動において、駆動電力Ｗｄの変動に応じた放電灯９０の輝度の変化を相殺するように、放電灯９０から射出される光の光量を調整してもよい。これにより、プロジェクター５００から投射される画像の輝度が変化することを抑制できる。
【０１５９】
また、上記説明においては、測定タイミングは、駆動電力Ｗｄが最小となるタイミングとしたが、これに限られない。本実施形態においては、測定タイミングは、どのタイミングであってもよい。本実施形態においては、測定タイミングは、例えば、駆動電力Ｗｄが最大となるタイミングであってもよい。
【０１６０】
また、本実施形態においては、測定タイミングは、駆動電力Ｗｄが最小となるタイミングのうちの一部のタイミングとしてもよい。すなわち、本実施形態においては、次の測定タイミングが、数回後に駆動電力Ｗｄが最小となるタイミングであってもよい。
【０１６１】
また、本実施形態においては、測定タイミングは、一度のプロジェクター５００の使用時に、一度だけ設けられていてもよい。この場合、測定タイミングは、例えば、放電灯９０を点灯した直後に設けられる構成としてもよい。
【０１６２】
また、上記説明においては、電力変動駆動において駆動電力Ｗｄは正弦波状に変動する構成としたが、これに限られない。本実施形態においては、駆動電力Ｗｄは、周期的に変動する範囲内において、どのように変動してもよい。本実施形態においては、駆動電力Ｗｄは、例えば、矩形波状、台形波状、三角波状、のこぎり波状、階段状等に変動してもよい。
【０１６３】
また、上記説明においては、電力変動駆動における駆動電力Ｗｄの最大値は、定格電力Ｗｄｒとしたが、これに限られない。電力変動駆動における駆動電力Ｗｄの最大値は、定格電力Ｗｄｒよりも大きくてもよい。電力変動駆動における駆動電力Ｗｄの最大値の上限は、例えば、放電灯９０に供給される駆動電流Ｉの値が、放電灯９０が点灯する際に放電灯９０に供給される駆動電流Ｉの値を超えない範囲内で設定される。放電灯９０が点灯する際に放電灯９０に供給される駆動電流Ｉとは、第１電極９２と第２電極９３との間に高電圧が印加され、絶縁破壊が生じた際に放電灯９０に供給される駆動電流Ｉである。
【０１６４】
なお、上記の実施形態において、透過型のプロジェクターに本発明を適用した場合の例について説明したが、本発明は、反射型のプロジェクターにも適用することも可能である。ここで、「透過型」とは、液晶パネル等を含む液晶ライトバルブが光を透過するタイプであることを意味する。「反射型」とは、液晶ライトバルブが光を反射するタイプであることを意味する。なお、光変調装置は、液晶パネル等に限られず、例えばマイクロミラーを用いた光変調装置であってもよい。
【０１６５】
また、上記の実施形態において、３つの液晶パネル５６０Ｒ，５６０Ｇ，５６０Ｂ（液晶ライトバルブ３３０Ｒ，３３０Ｇ，３３０Ｂ）を用いたプロジェクター５００の例を挙げたが、本発明は、１つの液晶パネルのみを用いたプロジェクター、４つ以上の液晶パネルを用いたプロジェクターにも適用可能である。
【０１６６】
また、上記説明した各構成は、相互に矛盾しない範囲内において、適宜組み合わせることができる。
【符号の説明】
【０１６７】
１０…放電灯点灯装置（放電灯駆動装置）、４０…制御部、９０…放電灯、２００…光源装置、２３０…放電灯駆動部、３３０Ｒ，３３０Ｇ，３３０Ｂ…液晶ライトバルブ（光変調装置）、３５０…投射光学系、５００…プロジェクター、５０２，５１２Ｒ，５１２Ｇ，５１２Ｂ…画像信号、５７０…画像処理装置、Ｉ…駆動電流、Ｉｄ…直流電流、ＤＷ１…第１駆動電流波形（第１駆動電流）、ＤＷ２…第２駆動電流波形（第２駆動電流）、Ｐ１…第１期間、Ｐ２…第２期間、Ｖｌａ…ランプ電圧（電極間電圧）、Ｗｄ…駆動電力、Ｗｄｍ…中間電力（所定電力）
【図１】
0006536113.tif 000002
【図２】
0006536113.tif 000003
【図３】
0006536113.tif 000004
【図４】
0006536113.tif 000005
【図５】
0006536113.tif 000006
【図６】
0006536113.tif 000007
【図７】
0006536113.tif 000008
【図８】
0006536113.tif 000009
【図９】
0006536113.tif 000010